(57)【要約】【課題】ノイズによる好ましくない影響の低減を図る。【解決手段】点灯装置６は、交番電圧を出力する電源回路６０と、複数のダイオード６１１〜６１４を有して交番電圧を整流する整流回路６１と、整流回路６１から出力される脈流電圧を平滑して光源に出力する平滑コンデンサ６２とを備える。点灯装置６は、平滑コンデンサ６２に電流を流す経路に挿入され、電源回路６０の停止中において電流による平滑コンデンサ６２の充電を抑制する充電抑制部６３を備える。【選択図】        図２
2020087521.tif 000002
【特許請求の範囲】
【請求項１】
交番電圧を出力する電源回路と、
複数の整流素子を有して前記交番電圧を整流する整流回路と、
前記整流回路から出力される脈流電圧を平滑して光源に出力する平滑コンデンサと、
前記平滑コンデンサに電流を流す経路に挿入され、前記電源回路の停止中において前記電流による前記平滑コンデンサの充電を抑制する充電抑制部と、
を備える、
点灯装置。
【請求項２】
前記充電抑制部は、インピーダンス素子を含む、
請求項１記載の点灯装置。
【請求項３】
前記インピーダンス素子は、コンデンサである、
請求項２記載の点灯装置。
【請求項４】
前記インピーダンス素子は、抵抗器又はインダクタである、
請求項２記載の点灯装置。
【請求項５】
前記電源回路は、２次巻き線から前記交番電圧を出力するトランスを有し、
前記インピーダンス素子は、前記２次巻き線の一端と前記整流回路の低電位側の脈流出力端の間に挿入されている、
請求項２〜４のいずれか１項に記載の点灯装置。
【請求項６】
前記インピーダンス素子は、ダイオードである、
請求項２記載の点灯装置。
【請求項７】
前記ダイオードは、前記平滑コンデンサの低電位側の端子と前記光源との間に挿入されている、
請求項６記載の点灯装置。
【請求項８】
前記充電抑制部は、前記平滑コンデンサと電気的に並列接続されたスイッチを有し、前記スイッチをオンすることによって前記平滑コンデンサの充電を抑制する、
請求項１記載の点灯装置。
【請求項９】
前記充電抑制部は、前記電源回路の停止中に前記スイッチをオンして前記平滑コンデンサの両端を短絡し、かつ、前記電源回路の動作中に前記スイッチをオフする、
請求項８記載の点灯装置。
【請求項１０】
請求項１〜９のいずれかの点灯装置と、
前記点灯装置から供給される直流電力で点灯する光源と、
を有する、
照明装置。
【請求項１１】
請求項１０の照明装置と、
常用電源から供給される電力で前記照明装置の前記光源を点灯させる常用点灯回路と、
を有し、
前記照明装置が有する前記点灯装置は、前記常用電源の停電時に非常用電源から供給される電力で前記光源を点灯させる、
非常用照明システム。
【請求項１２】
前記常用点灯回路に対する前記光源の接続の有無を判定する無負荷判定回路を備え、
前記光源は、
複数のＬＥＤが電気的に直列接続されてなるＬＥＤモジュールと、
前記ＬＥＤモジュールと電気的に並列接続されている抵抗器と、
を有し、
前記無負荷判定回路は、前記常用点灯回路から定電流が出力されている状況において、前記抵抗器を含む分圧回路の電圧をしきい値と比較し、前記分圧回路の電圧が前記しきい値未満の場合に前記光源の接続有りと判定し、前記分圧回路の電圧が前記しきい値以上の場合に前記光源の接続無しと判定する、
請求項１１記載の非常用照明システム。
【発明の詳細な説明】
【技術分野】
【０００１】
本開示は、点灯装置、照明装置、及び非常用照明システムに関し、より詳細には、固体光源を点灯させる点灯装置、当該点灯装置と固体光源を有する照明装置、及び当該照明装置と非常用電源を有する非常用照明システムに関する。
【背景技術】
【０００２】
従来例として特許文献１記載の非常用照明装置を例示する。特許文献１記載の非常用照明装置は、ＬＥＤからなる光源（固体光源）、蓄電池、充電回路、常用点灯回路、非常用点灯回路（点灯装置）、切替部などを備える。非常用点灯回路は、プッシュプルインバータ回路、ダイオードブリッジ、平滑コンデンサなどを有する。
【０００３】
従来例の非常用照明装置は、商用交流電源から正常に給電されている場合、常用点灯回路が動作して光源に直流電力を供給して光源を点灯させる。なお、商用交流電源から正常に給電されているとき、プッシュプルインバータ回路は動作しない。
【０００４】
一方、商用交流電源が停電した場合、常用点灯回路が停止し、かつ、非常用点灯回路（プッシュプルインバータ回路）が起動される。その結果、蓄電池から非常用点灯回路を通して光源に直流電力が供給されて光源が点灯する。
【先行技術文献】
【特許文献】
【０００５】
【特許文献１】特開２０１３−２４６９３８号公報
【発明の概要】
【発明が解決しようとする課題】
【０００６】
ところで、上述のような非常用照明装置を含む電気機器においては、大地を通して回路に侵入したコモンモードノイズがノーマルモードノイズに変換される場合がある。そして、変換後のノーマルモードノイズが電気機器の回路に好ましくない影響を与えるおそれがある。
【０００７】
本開示の目的は、ノイズによる好ましくない影響の低減を図ることができる点灯装置、照明装置、及び非常用照明システムを提供することである。
【課題を解決するための手段】
【０００８】
本開示の一態様に係る点灯装置は、交番電圧を出力する電源回路と、複数の整流素子を有して前記交番電圧を整流する整流回路と、前記整流回路から出力される脈流電圧を平滑して光源に出力する平滑コンデンサとを備える。前記点灯装置は、前記平滑コンデンサに電流を流す経路に挿入され、前記電源回路の停止中において前記電流による前記平滑コンデンサの充電を抑制する充電抑制部を備える。
【０００９】
本開示の一態様に係る照明装置は、前記点灯装置と、前記点灯装置から供給される直流電力で点灯する光源とを有する。
【００１０】
本開示の一態様に係る非常用照明システムは、前記照明装置と、常用電源から供給される電力で前記照明装置の前記光源を点灯させる常用点灯回路とを有する。前記照明装置が有する前記点灯装置は、前記常用電源の停電時に非常用電源から供給される電力で前記光源を点灯させる。
【発明の効果】
【００１１】
本開示の点灯装置、照明装置、及び非常用照明システムは、ノイズによる好ましくない影響の低減を図ることができるという効果がある。
【図面の簡単な説明】
【００１２】
【図１】図１Ａは、本開示の実施形態に係る非常用照明器具（非常用照明システム）の正面図である。図１Ｂは、同上の非常用照明器具の左側面図である。
【図２】図２は、本開示の実施形態に係る照明装置及び点灯装置の回路図である。
【図３】図３Ａは、同上の点灯装置の比較例における平滑コンデンサの両端電圧の波形図である。図３Ｂは、同上の点灯装置における平滑コンデンサの両端電圧の波形図である。
【図４】図４は、変形例１に係る照明装置及び点灯装置の回路図である。
【図５】図５は、変形例２に係る照明装置及び点灯装置の回路図である。
【発明を実施するための形態】
【００１３】
実施形態に係る点灯装置、照明装置、及び非常用照明システムについて、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１４】
実施形態に係る非常用照明システムは、いわゆる直管ＬＥＤランプ（以下、ＬＥＤランプ３という。）を常用照明及び非常用照明の光源に兼用する非常用照明器具１である。ただし、光源は直管ＬＥＤランプに限定されない。
【００１５】
非常用照明器具１は、図１Ａ及び図１Ｂに示すように、器具本体１０と、一対のランプソケット１１と、ＬＥＤランプ３と、点灯装置６と、非常用電源５と、常用点灯回路４とを有する。器具本体１０は、金属板などの不燃材料によって、長尺の角すい台形状に形成されている。器具本体１０は、天面（図１Ａ及び図１Ｂにおける上面）を天井面に接するようにして天井に直付けされる。器具本体１０の底面（図１Ａ及び図１Ｂにおける下面）における長手方向（図１Ａにおける左右方向）の両端から一対のランプソケット１１が一つずつ突出している。なお、器具本体１０の内部に、点灯装置６、非常用電源５、常用点灯回路４が収容されている（図１Ａ参照）。
【００１６】
実施形態におけるＬＥＤランプ３は、日本工業規格JIS C 8159-1:2013で規格化されている一般照明用GX16t-5口金付直管ＬＥＤランプである。ＬＥＤランプ３は、軸方向の一端に通電端子を持った通電用の口金３２Ａを有し、軸方向の他端に機械的保持だけの機能を持つ非通電用の口金３２Ｂを有している（図１Ａ参照）。ＬＥＤランプ３は、それぞれの口金３２Ａ、３２Ｂが、一対一に対応するランプソケット１１に一つずつ装着されることにより、点灯装置６と電気的に接続され、かつ、器具本体１０に機械的に保持される（図１Ａ参照）。
【００１７】
ＬＥＤランプ３は、複数のＬＥＤ３１が電気的に直列接続されてなるＬＥＤモジュール３０と、ＬＥＤモジュール３０と電気的に並列接続されている抵抗器３３とを有する（図２参照）。１個のＬＥＤ３１の点灯開始電圧を３Ｖとし、ＬＥＤモジュール３０を構成するＬＥＤ３１の個数を５０個とすれば、ＬＥＤモジュール３０の点灯開始電圧は、３Ｖ×５０＝１５０Ｖとなる。なお、抵抗器３３の抵抗値は、数百ｋΩ程度が望ましい。
【００１８】
非常用照明器具１は、図２に示すように、実施形態に係る照明装置２を有する。そして、照明装置２は、ＬＥＤランプ３と点灯装置６を有する。非常用照明器具１は、常用電源１００から供給される電力でＬＥＤランプ３を点灯させる常用点灯回路４を更に有する。非常用照明器具１は、常用電源１００の停電時に点灯装置６に電力を供給する非常用電源５と、常用電源１００から供給される電力で非常用電源５を充電する充電回路５０とを更に有する。常用電源１００は、例えば、商用の交流電源である。また、非常用電源５は、ニッケル水素電池などの蓄電池を有する。充電回路５０は、常用電源１００から供給される交流電力を直流電力に変換して非常用電源５（蓄電池）に充電電流を供給する。
【００１９】
常用点灯回路４は、例えば、常用電源１００から供給される交流電力を直流電力に変換する交直変換回路と、交直変換回路から出力される直流電力によってＬＥＤモジュール３０に流す電流を定電流制御する定電流回路とを有する。なお、定電流回路は、降圧チョッパ回路などのスイッチング電源回路で構成されることが好ましい。また、常用電源１００から常用点灯回路４への給電路に消灯スイッチ１０１が設けられている（図２参照）。ゆえに、常用点灯回路４は、消灯スイッチ１０１が閉じている（オンしている）ときにＬＥＤモジュール３０に直流電力を供給してＬＥＤランプ３を点灯させる。常用点灯回路４は、消灯スイッチ１０１が開いている（オフしている）ときは常用電源１００からの給電が停止するため、ＬＥＤランプ３を点灯させることができない。
【００２０】
常用点灯回路４は、無負荷判定回路４０を有している。無負荷判定回路４０は、消灯スイッチ１０１がオフからオンに切り替えられたときに常用点灯回路４とＬＥＤランプ３の電気的な接続の有無を判定する。常用点灯回路４は、無負荷判定回路４０が接続有りと判定したときに定電流回路を動作させてＬＥＤランプ３を点灯させる。一方、常用点灯回路４は、無負荷判定回路４０が接続無しと判定したときに定電流回路を動作させない。なお、常用点灯回路４の出力電流は、第１ダイオードＤ１を介してＬＥＤランプ３に供給される。また、常用点灯回路４の出力電流は、第２ダイオードＤ２によって点灯装置６への逆流が阻止されている。
【００２１】
常用点灯回路４は、消灯スイッチ１０１がオフからオンに切り替えられた場合、ＬＥＤランプ３の定格電流よりも十分に小さい定電流を出力する。ここで、常用点灯回路４の出力端間に分圧回路が設けられている。分圧回路は、複数（図示例では二つ）の抵抗器６５Ａ、６５Ｂを有している。二つの抵抗器６５Ａ、６５Ｂは、常用点灯回路４の出力端間に電気的に直列接続されている。つまり、分圧回路（抵抗器６５Ａ、６５Ｂ）は、ＬＥＤランプ３のＬＥＤモジュール３０及び抵抗器３３と電気的に並列接続される。
【００２２】
無負荷判定回路４０は、常用点灯回路４の出力電圧を分圧回路で分圧した電圧（検出電圧Ｖｘ）を取り込んでしきい値と比較する。つまり、常用点灯回路４から定電流が出力されているので、常用点灯回路４にＬＥＤランプ３が接続されている場合の検出電圧Ｖｘは、ＬＥＤランプ３が接続されていない場合の検出電圧Ｖｘに比べて、抵抗器３３の抵抗値の分だけ低くなる。無負荷判定回路４０では、しきい値が、常用点灯回路４にＬＥＤランプ３が接続されている場合の検出電圧Ｖｘよりも大きく、かつ、ＬＥＤランプ３が接続されていない場合の検出電圧Ｖｘよりも小さい値に設定される。そのため、無負荷判定回路４０は、検出電圧Ｖｘがしきい値未満の場合にＬＥＤランプ３の接続有りと判定し、検出電圧Ｖｘがしきい値以上の場合にＬＥＤランプ３の接続無しと判定することができる。
【００２３】
点灯装置６は、交番電圧を出力する電源回路６０、整流回路６１及び平滑コンデンサ６２を備える（図２参照）。電源回路６０は、非常用電源５から出力される直流電圧を高周波の交番電圧（正弦波の交流電圧）に変換する。電源回路６０は、一対のＮＰＮ型のバイポーラトランジスタ（トランジスタＱ１、Ｑ２）、トランスＴ１、抵抗器Ｒ１、Ｒ２、コンデンサＣ１、インダクタＬ１などを有するプッシュプルインバータ回路である。ただし、電源回路６０はプッシュプルインバータ回路に限定されない。
【００２４】
電源回路６０において、トランジスタＱ１、Ｑ２のエミッタが非常用電源５の負極に接続され、一方のトランジスタＱ１のコレクタがトランスＴ１の１次側の第１巻き線Ｎ１の一端に電気的に接続されている。他方のトランジスタＱ２のコレクタがトランスＴ１の１次側の第２巻き線Ｎ２の一端に電気的に接続されている。トランスＴ１の第１巻き線Ｎ１及び第２巻き線Ｎ２のそれぞれの他端同士が電気的に接続されることにより、トランスＴ１の第１巻き線Ｎ１及び第２巻き線Ｎ２が電気的に直列接続されている。第１巻き線Ｎ１の一端と第２巻き線Ｎ２の一端がコンデンサＣ１を介して電気的に接続されている。さらに、トランスＴ１の第１巻き線Ｎ１と第１巻き線Ｎ２の接続点が、限流用のインダクタＬ１を介して非常用電源５の正極に電気的に接続されている。トランジスタＱ１のベースが、トランスＴ１の１次側の第３巻き線Ｎ３を介してトランジスタＱ２のベースと電気的に接続されている。また、一方のトランジスタＱ１のベースが抵抗器Ｒ１を介してインダクタＬ１と電気的に接続されている。他方のトランジスタＱ２のベースが抵抗器Ｒ２を介してインダクタＬ１に電気的に接続されている。トランスＴ１の２次巻き線Ｎ４の一端が限流用のコンデンサ６４を介して整流回路６１の一方の入力端に電気的に接続されている。２次巻き線Ｎ４の他端は整流回路６１の他方の入力端に電気的に接続されている。そして、整流回路６１の出力端間に平滑コンデンサ６２が電気的に接続されている。
【００２５】
整流回路６１は、４つのダイオード６１１〜６１４を有するダイオードブリッジである。これら４つのダイオード６１１〜６１４のうち、トランスＴ１の２次巻き線Ｎ４にアノードが電気的に接続されている２つのダイオード６１１、６１２が高電位側のダイオードである。また、トランスＴ１の２次巻き線Ｎ４にカソードが電気的に接続されている２つのダイオード６１３、６１４が低電位側のダイオードである。なお、低電位側のダイオード６１３に対して、充電抑制部６３が電気的に並列接続されている。充電抑制部６３は、コンデンサであることが好ましい。ただし、充電抑制部６３は、コンデンサ以外のインピーダンス素子、例えば、抵抗器又はインダクタであっても構わない。
【００２６】
点灯装置６は、常用電源１００の停電を検出する停電検出回路６７と、停電検出回路６７が常用電源１００の停電を検出したときに電源回路６０を起動するトリガ回路６６とを備える。
【００２７】
トリガ回路６６は、比較器６６０、スイッチング素子Ｑ３、二つのダイオードＤ３、Ｄ４などを有する。スイッチング素子Ｑ３は、ＮＰＮ型のバイポーラトランジスタである。スイッチング素子Ｑ３のエミッタが基準電源の負極（グランド）に電気的に接続されている。基準電源は、一定の基準電圧Ｖｒを出力する。スイッチング素子Ｑ３のコレクタが二つのダイオードＤ３、Ｄ４のそれぞれのカソードに電気的に接続されている。また、一方のダイオードＤ３のアノードが電源回路６０のトランジスタＱ１のベースに電気的に接続されている。他方のダイオードＤ４のアノードが電源回路６０のトランジスタＱ２のベースに電気的に接続されている。
【００２８】
停電検出回路６７は、常用電源１００の電源電圧が下限値以上であるときに基準電圧Ｖｒよりも高い電圧を出力し、電源電圧が下限値未満であるとき、すなわち、常用電源１００の停電時に基準電圧Ｖｒ以下の電圧を出力する。
【００２９】
停電検出回路６７が常用電源１００の停電を検出していない場合、トリガ回路６６の比較器６６０のプラス入力端子に基準電圧Ｖｒよりも高い電圧が入力されるので、比較器６６０の出力がハイレベルとなる。比較器６６０の出力がハイレベルのとき、スイッチング素子Ｑ３がオンするので、電源回路６０の２つのトランジスタＱ１、Ｑ２のベースがダイオードＤ３、Ｄ４及びスイッチング素子Ｑ３を介してグランドと電気的に接続される。その結果、２つのトランジスタＱ１、Ｑ２がいずれもオンせず、電源回路６０は停止している。
【００３０】
一方、停電検出回路６７が常用電源１００の停電を検出している場合、トリガ回路６６の比較器６６０のプラス入力端子に基準電圧Ｖｒ以下の電圧が入力されるので、比較器６６０の出力がローレベルとなる。比較器６６０の出力がローレベルのとき、スイッチング素子Ｑ３がオフする。常用電源１００が停電すると充電回路５０が停止するので、非常用電源５から電源回路６０への放電（給電）が開始される。そして、非常用電源５からの給電が開始されると、一対のトランジスタＱ１、Ｑ２のいずれか一方が先にオンする。例えば、トランジスタＱ２が先にオンすれば、トランスＴ１の第１巻き線Ｎ１に電流が流れることで第３巻き線Ｎ３に電圧が誘起されるため、トランジスタＱ２のベースに印加されるバイアス電圧が上昇してトランジスタＱ２が飽和状態となる。なお、他方のトランジスタＱ１は、ベースに逆方向のバイアス電圧が印加されているためにオフのままとなる。
【００３１】
トランジスタＱ２がオンすると、トランスＴ１の第１巻き線Ｎ１、第２巻き線Ｎ２及びコンデンサＣ１に共振電圧が誘起される。そして、トランスＴ１の第３巻き線Ｎ３に誘起される電圧により、一対のトランジスタＱ１、Ｑ２が交互にバイアスされてオン・オフ動作が繰り返される。その結果、電源回路６０の発振が継続し、非常用電源５の電源電圧から昇圧された交流電圧がトランスＴ１の２次巻き線Ｎ４に誘起される。２次巻き線Ｎ４に誘起された交流電圧が整流回路６１で整流され、かつ、平滑コンデンサ６２で平滑される。そして、平滑コンデンサ６２で平滑された直流電圧が、第２ダイオードＤ２を介してＬＥＤランプ３（ＬＥＤモジュール３０）に供給される。つまり、常用電源１００が停電すると、点灯装置６が非常用電源５から供給される直流電力によってＬＥＤランプ３を点灯させる。
【００３２】
ここで、消灯スイッチ１０１がオフされて常用点灯回路４及び点灯装置６が停止している状況において、グランドとの間に生じる浮遊容量を介して点灯装置６にノイズ（コモンモードノイズ）が侵入する場合がある。そして、点灯装置６に侵入したコモンモードノイズの全部又は一部がノーマルモードノイズに変換され、当該ノーマルモードノイズが電源回路６０のトランスＴ１で昇圧されて２次巻き線Ｎ４から出力される場合がある。２次巻き線Ｎ４から出力される電流（ノーマルモードノイズの電流）は、整流回路６１を介して平滑コンデンサ６２を充電する。平滑コンデンサ６２の充電量が増えるにつれて、常用点灯回路４の無負荷判定回路４０に入力される検出電圧Ｖｘが上昇する。そして、検出電圧Ｖｘがしきい値に達してしまうと、無負荷判定回路４０がＬＥＤランプ３の接続無しと誤判定する可能性がある。
【００３３】
しかしながら、点灯装置６は、平滑コンデンサ６２に電流（ノーマルモードノイズの電流）を流す経路に挿入され、電源回路６０の停止中において当該電流による平滑コンデンサ６２の充電を抑制する充電抑制部６３を備えている。充電抑制部６３が有するインピーダンス素子（例えば、コンデンサ）により、２次巻き線Ｎ４から出力される電流が、充電抑制部６３からダイオード６１４を通して２次巻き線Ｎ４に戻る経路に流れる。つまり、ノーマルモードノイズの電流が平滑コンデンサ６２に流れることを充電抑制部６３によって抑制するので、平滑コンデンサ６２の両端電圧（検出電圧Ｖｘ）の上昇を抑えることができる。
【００３４】
ここで、充電抑制部６３を有していない比較例と実施形態に係る点灯装置６において、消灯スイッチ１０１がオフされている状況の平滑コンデンサ６２の両端電圧Ｖｃ（図２参照）の変化について説明する。
【００３５】
比較例において、ノーマルモードノイズによって平滑コンデンサ６２が充電されることにより、平滑コンデンサ６２の両端電圧Ｖｃが徐々に上昇する。そして、平滑コンデンサ６２の両端電圧Ｖｃが上限値Ｖｙを超えると（図３Ａ参照）、無負荷判定回路４０に入力される検出電圧Ｖｘがしきい値を超えてしまい、無負荷判定回路４０がＬＥＤランプ３の接続無しと誤判定する可能性がある。
【００３６】
これに対して実施形態に係る点灯装置６では、充電抑制部６３によって平滑コンデンサ６２に電流が流れることが妨げられるため、平滑コンデンサ６２の両端電圧Ｖｃは上限値Ｖｙを超えにくい（図３Ｂ参照）。したがって、無負荷判定回路４０に入力される検出電圧Ｖｘがしきい値を超えにくいので、無負荷判定回路４０がＬＥＤランプ３の接続無しと誤判定する可能性を低下させることができる。その結果、実施形態に係る点灯装置６は、ノイズによる好ましくない影響、例えば、消灯スイッチ１０１をオフからオンに切り替えても常用点灯回路４がＬＥＤランプ３を点灯させないという現象が発生することの低減を図ることができる。
【００３７】
次に、実施形態に係る点灯装置６の変形例１、２について図面を参照して説明する。ただし、変形例１、２に係る点灯装置６において、充電抑制部６３以外の構成は実施形態に係る点灯装置６と共通であるので、実施形態に係る点灯装置６と共通の構成には同一の符号を付して説明を省略する。
【００３８】
変形例１に係る点灯装置６は、図４に示すように、ダイオード６１３と電気的に並列接続されていたコンデンサの代わりに、常用点灯回路４の低電位側の出力端子と平滑コンデンサ６２の低電位側の端子の間に、充電抑制部６３である第２ダイオードＤ２を有している。なお、第２ダイオードＤ２は、常用点灯回路４の出力電流が点灯装置６に逆流することを阻止する役割も担っている。
【００３９】
ここで、点灯装置６に侵入したコモンモードノイズの一部は、整流回路６１から導体を通って常用点灯回路４に入り込み、常用点灯回路４から浮遊容量を通してグランドに流れる可能性がある。変形例１に係る点灯装置６では、充電抑制部６３（第２ダイオードＤ２）によって、コモンモードノイズの電流が平滑コンデンサ６２に流れることを抑制することができる。その結果、変形例１に係る点灯装置６においても、平滑コンデンサ６２の両端電圧（検出電圧Ｖｘ）の上昇を抑え、ノイズによる好ましくない影響の低減を図ることができる。
【００４０】
また、変形例２に係る点灯装置６において、充電抑制部６３は、図５に示すように、ダイオード６１３と電気的に並列接続されていたコンデンサの代わりに、平滑コンデンサ６２と電気的に並列接続されたスイッチ６３０を有することが好ましい。スイッチ６３０は、ノーマリオン型の半導体スイッチング素子又はノーマリオン型のＳＳＲ（Solid State Relay）などで構成されることが好ましい。また、充電抑制部６３は、スイッチ６３０を駆動する駆動回路６３１を更に有することが好ましい。駆動回路６３１は、停電検出回路６７が停電を検出しているとき（電源回路６０の停止中）にスイッチ６３０を駆動し、停電検出回路６７が停電を検出していないとき（電源回路６０の動作中）はスイッチ６３０を駆動しない。ゆえに、変形例２における充電抑制部６３は、常用電源１００が停電していないときにスイッチ６３０をオンして平滑コンデンサ６２を短絡することにより、平滑コンデンサ６２の充電を抑制することができる。
【００４１】
なお、スイッチ６３０は、ノーマリオフ型の半導体スイッチング素子又はノーマリオフ型のＳＳＲなどで構成されても構わない。スイッチ６３０がノーマルオフ型の場合、駆動回路６３１は、停電検出回路６７が停電を検出していないときにスイッチ６３０を駆動し、停電検出回路６７が停電を検出しているときはスイッチ６３０を駆動しない。
【００４２】
上述のように第１の態様に係る点灯装置（６）は、交番電圧を出力する電源回路（６０）と、複数の整流素子（ダイオード６１１〜６１４）を有して交番電圧を整流する整流回路（６１）を備える。第１の態様に係る点灯装置（６）は、整流回路（６１）から出力される脈流電圧を平滑して光源に出力する平滑コンデンサ（６２）を備える。第１の態様に係る点灯装置（６）は、平滑コンデンサ（６２）に電流を流す経路に挿入され、電源回路（６０）の停止中において電流による平滑コンデンサ（６２）の充電を抑制する充電抑制部（６３）を備える。
【００４３】
第１の態様に係る点灯装置（６）は、外部から電源回路（６０）に侵入するノイズによって平滑コンデンサ（６２）に流れる電流を抑制し、平滑コンデンサ（６２）の両端電圧（Ｖｃ）の上昇を抑えることができる。その結果、第１の態様に係る点灯装置（６）は、平滑コンデンサ（６２）の両端電圧の上昇を抑えることにより、ノイズによる好ましくない影響の低減を図ることができる。
【００４４】
第２の態様に係る点灯装置（６）は、第１の態様との組合せにより実現され得る。第２の態様に係る点灯装置（６）において、充電抑制部（６３）は、インピーダンス素子を含むことが好ましい。
【００４５】
第２の態様に係る点灯装置（６）は、インピーダンス素子によってノイズによる電流を抑制することができる。
【００４６】
第３の態様に係る点灯装置（６）は、第２の態様との組合せにより実現され得る。第３の態様に係る点灯装置（６）において、インピーダンス素子は、コンデンサであることが好ましい。
【００４７】
第３の態様に係る点灯装置（６）は、コンデンサによってノイズによる電流を抑制することができる。
【００４８】
第４の態様に係る点灯装置（６）は、第２の態様との組合せにより実現され得る。第４の態様に係る点灯装置（６）において、インピーダンス素子は、抵抗器又はインダクタであることが好ましい。
【００４９】
第４の態様に係る点灯装置（６）は、抵抗器又はインダクタによってノイズによる電流を抑制することができる。
【００５０】
第５の態様に係る点灯装置（６）は、第２〜第４の態様のいずれかとの組合せにより実現され得る。第５の態様に係る点灯装置（６）において、電源回路（６０）は、２次巻き線（Ｎ４）から交番電圧を出力するトランス（Ｔ１）を有することが好ましい。インピーダンス素子は、２次巻き線（Ｎ４）の一端と整流回路（６１）の低電位側の脈流出力端の間に挿入されていることが好ましい。
【００５１】
第５の態様に係る点灯装置（６）は、ノイズによる電流が２次巻き線（Ｎ４）から出力される場合において、当該電流をインピーダンス素子によって抑制することができる。
【００５２】
第６の態様に係る点灯装置（６）は、第２の態様との組合せにより実現され得る。第６の態様に係る点灯装置（６）において、インピーダンス素子は、ダイオード（第２ダイオードＤ２）であることが好ましい。
【００５３】
第６の態様に係る点灯装置（６）は、ダイオードによってノイズによる電流を抑制することができる。
【００５４】
第７の態様に係る点灯装置（６）は、第６の態様との組合せにより実現され得る。第７の態様に係る点灯装置（６）において、ダイオードは、平滑コンデンサ（６２）の低電位側の端子と光源との間に挿入されていることが好ましい。
【００５５】
第７の態様に係る点灯装置（６）は、ダイオードによって平滑コンデンサ（６２）に流れる電流を阻止することができる。
【００５６】
第８の態様に係る点灯装置（６）は、第１の態様との組合せにより実現され得る。第８の態様に係る点灯装置（６）において、充電抑制部（６３）は、平滑コンデンサ（６２）と電気的に並列接続されたスイッチ（６３０）を有することが好ましい。充電抑制部（６３）は、スイッチ（６３０）をオンすることによって平滑コンデンサ（６２）の充電を抑制することが好ましい。
【００５７】
第８の態様に係る点灯装置（６）は、スイッチ（６３０）をオンして平滑コンデンサ（６２）の両端を短絡することにより、平滑コンデンサ（６２）の充電を更に抑制することができる。
【００５８】
第９の態様に係る点灯装置（６）は、第８の態様との組合せにより実現され得る。第９の態様に係る点灯装置（６）において、充電抑制部（６３）は、電源回路（６０）の停止中にスイッチ（６３０）をオンして平滑コンデンサ（６２）の両端を短絡し、かつ、電源回路（６０）の動作中にスイッチ（６３０）をオフすることが好ましい。
【００５９】
第９の態様に係る点灯装置（６）は、電源回路（６０）の停止中にスイッチ（６３０）をオンすることで平滑コンデンサ（６２）の充電を抑制し、かつ、電源回路（６０）の動作中にスイッチ（６３０）をオフすることで光源を点灯させることができる。
【００６０】
第１０の態様に係る照明装置（２）は、第１〜第９の態様のいずれかの点灯装置（６）と、点灯装置（６）から供給される直流電力で点灯する光源（ＬＥＤランプ３）とを有する。
【００６１】
第１０の態様に係る照明装置（２）は、ノイズによる好ましくない影響の低減を図ることができる。
【００６２】
第１１の態様に係る非常用照明システム（非常用照明器具１）は、第１０の態様に係る照明装置（２）と、常用電源（１００）から供給される電力で照明装置（２）の光源を点灯させる常用点灯回路（４）とを有する。照明装置（２）が有する点灯装置（６）は、常用電源（１００）の停電時に非常用電源（５）から供給される電力で光源を点灯させる。
【００６３】
第１１の態様に係る非常用照明システムは、ノイズによる好ましくない影響の低減を図ることができる。
【００６４】
第１２の態様に係る非常用照明システムは、第１１の態様との組合せにより実現され得る。第１２の態様に係る非常用照明システムにおいて、常用点灯回路（４）に対する光源の接続の有無を判定する無負荷判定回路（４０）を備えることが好ましい。光源は、複数のＬＥＤ（３１）が電気的に直列接続されてなるＬＥＤモジュール（３０）と、ＬＥＤモジュール（３０）と電気的に並列接続されている抵抗器（３３）とを有することが好ましい。無負荷判定回路（４０）は、常用点灯回路（４）から定電流が出力されている状況において、抵抗器（３３）を含む分圧回路（抵抗器６５Ａ、６５Ｂ）の電圧（検出電圧Ｖｘ）をしきい値と比較することが好ましい。無負荷判定回路（４０）は、分圧回路の電圧がしきい値未満の場合に光源の接続有りと判定することが好ましい。無負荷判定回路（４０）は、分圧回路の電圧がしきい値以上の場合に光源の接続無しと判定することが好ましい。
【００６５】
第１２の態様に係る非常用照明システムは、ノイズによる好ましくない影響として、常用点灯回路（４）が光源を点灯させないという現象が発生することの低減を図ることができる。
【符号の説明】
【００６６】
１  非常用照明器具（非常用照明システム）
２  照明装置
３  ＬＥＤランプ（光源）
４  常用点灯回路
５  非常用電源
６  点灯装置
３０  ＬＥＤモジュール
３１  ＬＥＤ
３３  抵抗器
４０  無負荷判定回路
６０  電源回路
６１  整流回路
６２  平滑コンデンサ
６３  充電抑制部
６１１〜６１４  ダイオード（整流素子）
６５Ａ、６５Ｂ  抵抗器（分圧回路）
１００  常用電源
６３０  スイッチ
Ｔ１  トランス
Ｎ４  ２次巻き線
Ｄ２  第２ダイオード（ダイオード）
Ｖｘ  検出電圧（分圧回路の電圧）
【図１】
2020087521.tif 000003
【図２】
2020087521.tif 000004
【図３】
2020087521.tif 000005
【図４】
2020087521.tif 000006
【図５】
2020087521.tif 000007